(57)【要約】  本出願は、物品仕分け方法及びシステムを開示する。方法は、動いている物品の物品情報を識別することと、識別された物品情報に従って、各物品に対応する色を決定することであって、色は、異なる宛先を識別するために用いられることと、決定された色を用いて異なる宛先を有する物品を区別して、動いている物品を色に従って仕分けすることとを含む。本出願は、物品を識別するために、グレイショートコードの代わりに異なる色を用いて、物品が送られることになる異なる宛先を表し、動いている物品を、色に従って仕分けし、それによって仕分けの効率を大幅に改善する。加えて、本出願は、自動化と手作業との組み合わせを採用し、それによってコストを大幅に低減する。
2021524427.tif 000002
【特許請求の範囲】
【請求項１】
物品仕分けのための方法であって、
動いている物品の物品情報を認識することと、
前記認識された物品情報に従って、前記物品に対応する色を決定することであって、前記色は、異なる宛先を識別するために用いられることと、
前記決定された色を用いることによって異なる宛先を有する物品を区別して、動いている前記物品を前記色に従って仕分けすることと、
を含む、方法。
【請求項２】
前記方法の前に、前記方法は、異なる色及び異なる宛先間の対応関係を設定することを更に含む、請求項１に記載の方法。
【請求項３】
前記認識された物品情報に従って、前記物品に対応する色を決定することは、
前記物品情報に従って宛先情報を得ることと、
前記対応関係及び前記得られた宛先情報に従って前記物品情報に対応する色を決定することと、
を含む、請求項２に記載の方法。
【請求項４】
前記決定された色を用いることによって異なる宛先を有する物品を区別することは、
予め設置された投影光源を用いることによって、前記決定された色のスポットライトビームを対応する物品上に投影すること、及び／又は、
前記物品の通過が検知されるとき、前記物品に対応する場所を有する予め設置された光ストリップの色を前記決定された色に設定すること、
を含む、請求項１に記載の方法。
【請求項５】
認識ユニットと、処理及び制御ニットと、実行ユニットとを備える、物品仕分けのためのシステムであって、
前記認識ユニットは、動いている物品の物品情報を認識するように構成され、
前記処理及び制御ユニットは、前記認識された物品情報に従って、前記物品に対応する色を決定し、前記色は、異なる宛先を識別するために用いられ、前記決定された色を用いることによって異なる宛先を有する物品を区別するように前記実行ユニットを制御するための制御信号を前記実行ユニットに出力するように構成され、
前記実行ユニットは、異なる色を用いることによって、前記処理及び制御ユニットの前記制御信号に従って異なる宛先を有する前記物品を区別するように構成される、システム。
【請求項６】
前記処理及び制御ユニットは、異なる色及び異なる宛先間の対応関係を設定するように更に構成され、前記処理及び制御ユニットにおいて、前記認識された物品情報に従って、前記物品に対応する色を決定することは、
前記物品情報に従って宛先情報を得ることと、
前記対応関係及び前記得られた宛先情報に従って前記物品情報に対応する色を決定することと、
を含む、請求項５に記載のシステム。
【請求項７】
前記認識ユニットは、カメラ又はコード読取りデバイスを含む、請求項５又は６に記載のシステム。
【請求項８】
前記カメラは高精細カメラである、請求項７に記載のシステム。
【請求項９】
前記認識ユニットと、製造ライン上の物品との間の距離は調整可能である、請求項５又は６に記載のシステム。
【請求項１０】
前記認識ユニットは、製造ラインの上部に配置されるか、又は前記製造ラインの側部に配置される、請求項５又は６に記載のシステム。
【請求項１１】
前記実行ユニットは、投影光源の１つ又は複数のグループを含む、請求項５又は６に記載のシステム。
【請求項１２】
前記実行ユニットは、投影光源の２つ又は３つのグループを含む、請求項１１に記載のシステム。
【請求項１３】
投影光源のグループは、異なる色の２つ以上の光源を含む、請求項１１に記載のシステム。
【請求項１４】
前記投影光源は、製造ラインの上部に配置されるか又は前記製造ラインの側部に配置される、請求項１１に記載のシステム。
【請求項１５】
センサを更に備え、
前記実行ユニットは、製造ラインの側部に配置された光ストリップを備え、
予め設置された前記センサが前記物品を検知するとき、前記処理及び制御ユニットは、前記物品に対応する場所を有する光ストリップを前記宛先情報に対応する色にするように更に構成される、請求項５又は６に記載のシステム。
【発明の詳細な説明】
【技術分野】
【０００１】
関連出願の相互参照
本出願は、２０１８年７月９日に出願された、「ＯＢＪＥＣＴ  ＳＯＲＴＩＮＧ  ＭＥＴＨＯＤ  ＡＮＤ  ＳＹＳＴＥＭ」と題された中国特許出願第２０１８１０７４５００１．７号の優先権を主張し、その全体が本明細書に引用により組み込まれている。
【０００２】
本出願は、限定ではないが、情報管理技術に関し、特に、物体仕分けのための方法及びシステムに関する。
【背景技術】
【０００３】
流通センターにおける仕分けは、商品輸送ルート、すなわち、宛先フロー方向（通例、文字及び数字によって形成されるコード）に従って商品等の物流物品を仕分けすることである。
【発明の概要】
【０００４】
物流の急速な発展に伴い、低コストでの効率の良い仕分け方法が緊急に必要とされている。
【０００５】
上記の技術的問題を解決するために、本出願は、低コストで仕分けを効率的に完了するための、物品仕分けのための方法及びシステムを提供する。
【０００６】
本出願の目的を達成するために、本出願は、物品仕分けのための方法であって、
動いている物品の物品情報を認識することと、
認識された物品情報に従って、物品に対応する色を決定することであって、色は、異なる宛先を識別するために用いられることと、
決定された色を用いることによって異なる宛先を有する物品を区別して、動いている物品を色に従って仕分けすることと、
を含む、方法を提供する。
【０００７】
任意選択で、上記方法の前に、方法は、異なる色及び異なる宛先間の対応関係を設定することを更に含む。
【０００８】
任意選択で、認識された物品情報に従って、物品に対応する色を決定することは、
物品情報に従って宛先情報を得ることと、
対応関係及び得られた宛先情報に従って物品情報に対応する色を決定することと、
を含む。
【０００９】
任意選択で、決定された色を用いることによって異なる宛先を有する物品を区別することは、
予め設置された投影光源を用いることによって、決定された色のスポットライトビームを対応する物品上に投影すること、及び／又は、
物品の通過が検知されるとき、物品に対応する場所を有する予め設置された光ストリップの色を決定された色に設定すること、
を含む。
【００１０】
本出願は、認識ユニットと、処理及び制御ニットと、実行ユニットとを備える、物品仕分けのためのシステムであって、
認識ユニットは、動いている物品の物品情報を認識するように構成され、
処理及び制御ユニットは、認識された物品情報に従って、物品に対応する色を決定し、色は、異なる宛先を識別するために用いられ、決定された色を用いることによって異なる宛先を有する物品を区別するように実行ユニットを制御するための制御信号を実行ユニットに出力するように構成され、
実行ユニットは、異なる色を用いることによって、処理及び制御ユニットの制御信号に従って異なる宛先を有する物品を区別するように構成される、システムを更に提供する。
【００１１】
任意選択で、処理及び制御ユニットは、異なる色及び異なる宛先間の対応関係を設定するように更に構成され、処理及び制御ユニットにおいて、認識された物品情報に従って、物品に対応する色を決定することは、
物品情報に従って宛先情報を得ることと、
対応関係及び得られた宛先情報に従って物品情報に対応する色を決定することと、
を含む。
【００１２】
任意選択で、認識ユニットは、カメラ又はコード読取りデバイスを含む。
【００１３】
任意選択で、カメラは高精細カメラである。
【００１４】
任意選択で、認識ユニットと、製造ライン上の物品との間の距離は調整可能である。
【００１５】
任意選択で、認識ユニットは、製造ラインの上部に配置されるか、又は製造ラインの側部に配置される。
【００１６】
任意選択で、実行ユニットは、投影光源の１つ又は複数のグループを含む。
【００１７】
任意選択で、実行ユニットは、投影光源の２つ又は３つのグループを含む。
【００１８】
任意選択で、投影光源のグループは、異なる色の２つ以上の光源を含む。
【００１９】
任意選択で、投影光源は、製造ラインの上部に配置されるか又は製造ラインの側部に配置される。
【００２０】
任意選択で、システムは、センサを更に備え、
実行ユニットは、製造ラインの側部に配置された光ストリップを備え、
予め設置されたセンサが物品を検知するとき、処理及び制御ユニットは、物品に対応する場所を有する光ストリップを宛先情報に対応する色にするように更に構成される。
【００２１】
本出願の技術的解決策は、動いている物品の物品情報を認識することと、認識された物品情報に従って、物品に対応する色を決定することであって、色は、異なる宛先を識別するために用いられることと、決定された色を用いることによって異なる宛先を有する物品を区別して、動いている物品を色に従って仕分けすることと、を含む。本出願において、異なる宛先を表すグレイサイトショートコードの代わりに、物品を識別するために異なる色が用いられ、動いている物品が、色に従ってソートされる。裸眼による色の認識速度は、文字及び数字によって形成されるコードの裸眼による認識速度よりもはるかに高速であるため、仕分けを完了する効率が大幅に改善される。加えて、本出願は、自動化及び手動の労働の組み合わせを採用し、それによってコストを大幅に低減する。本出願において、効率的で低コストの仕分けが実施されることを見てとることができる。
【００２２】
本出願の他の特徴及び利点が以下の明細書に記載され、明細書から部分的に明らかになるか、又は本出願の実施を通じて理解される。本出願の目的及び他の利点は、本明細書、特許請求の範囲、及び添付の図面において特に言及される構造を用いることによって達成し、得ることができる。
【００２３】
添付の図面は、本出願の技術的解決策の更なる理解を提供するために用いられ、明細書の一部を構成するものであり、本出願の実施形態と組み合わせて本出願の技術的解決策を説明するのに用いられるが、本出願の技術的解決策に対する制限を構成するものではない。
【図面の簡単な説明】
【００２４】
【図１】本出願による物品仕分けのための方法のフローチャートである。
【図２】本出願による、物品仕分けを実施する第１の実施形態のシナリオの概略図である。
【図３】本出願による、物品仕分けを実施する第１の実施形態のシナリオの概略図である。
【図４】本出願による、物品仕分けのためのシステムのアーキテクチャの概略図である。
【発明を実施するための形態】
【００２５】
本出願の目的、技術的解決策及び利点をより明確にするために、添付の図面を参照して本出願の実施形態を以下に詳細に説明する。矛盾が生じない場合、本出願の実施形態又は実施形態の特徴を互いに組み合わせることができることに留意されたい。
【００２６】
本出願の典型的な構成において、コンピューティングデバイスは、１つ又は複数のプロセッサ（ＣＰＵ）と、入出力インタフェースと、ネットワークインターフェースと、内部メモリとを備える。
【００２７】
内部メモリは、以下の形態のコンピュータ可読媒体、すなわち、非永続性メモリ、ランダムアクセスメモリ（ＲＡＭ）、及び／又は不揮発性内部メモリ、例えばリードオンリーメモリ（ＲＯＭ）又はフラッシュメモリ（フラッシュＲＡＭ）を含むことができる。内部メモリはコンピュータ可読媒体の例である。
【００２８】
コンピュータ可読媒体は、任意の方法又は技術を用いることによって情報の記憶を実施することができる、永続性媒体及び非永続性媒体、リムーバブル媒体及び非リムーバブル媒体を含む。情報は、コンピュータ可読命令、データ構造、プログラムのモジュール又は他のデータとすることができる。コンピュータストレージ媒体の例は、限定ではないが、相変化メモリ（ＰＲＡＭ）、スタティックランダムアクセスメモリ（ＳＲＡＭ）、ダイナミックランダムアクセスメモリ（ＤＲＡＭ）、別のタイプのランダムアクセスメモリ（ＲＡＭ）、リードオンリーメモリ（ＲＯＭ）、電気的消去可能なリードオンリーメモリ（ＥＥＰＲＯＭ）、フラッシュメモリもしくは他のメモリ技術、コンパクトディスクリードオンリーメモリ（ＣＤ−ＲＯＭ）、デジタル多用途ディスク（ＤＶＤ）もしくは他の光学ストレージ、カセット磁気テープ、テープ及びディスクストレージもしくは別の磁気ストレージデバイス、又は任意の他の非伝送媒体を含み、これらは、コンピューティングデバイスがアクセス可能な情報を記憶するように構成することができる。本明細書における定義に基づいて、コンピュータ可読媒体は、変調データ信号及び搬送波等の非一時的コンピュータ可読媒体（一時的媒体）を含まない。
【００２９】
添付の図面におけるフローチャートに示されるステップは、例えば、コンピュータ実行可能命令のグループを有するコンピュータシステムにおいて実行することができる。加えて、フローチャートにはロジック順序が示されるが、場合によっては、図示又は記載されるステップは、本明細書における順序と異なる順序で実行されてもよい。
【００３０】
関連技術において、流通センターは主に２つの形態、すなわち、手動式倉庫及び自動倉庫を有する。発注量及び発注コストの要素を考慮して、自動倉庫のカバー率は現時点において制限されている。
【００３１】
手動式倉庫の場合、流通センターにおける流通ラインは複数のリンクに細分化することができる。仕分け作業者は、商品輸送ルート、すなわち、宛先フロー方向（通例、グレイサイトショートコード（ｇｒａｙ  ｓｉｔｅ  ｓｈｏｒｔｃｏｄｅ）とも呼ばれる、文字及び数字よって形成されるコード）に従って商品に対する仕分け作業を実行する必要がある。換言すれば、一方では、仕分け作業者は通例、グレイサイトショートコードを見ることによって細分化動作を実行し、平均的に、１人の人物は、各々が最大６桁、例えば、Ｓ１６７８３を有する４〜６個のコードを記憶する必要がある。他方で、流通ラインにおける仕分け作業者は、平均で１０〜１２時間にわたって立ち作業をする。調査により、動いているコードを長時間にわたって立ったままで見ることにより、めまい等の問題が生じる傾向があり、結果として誤った仕分けが生じやすくなることがわかっている。特に、速度が増大するシナリオでは、数字及び文字の裸眼の認識速度が大幅に低減し、これは誤った仕分けをより起こしやすい。
【００３２】
自動倉庫、すなわち完全に自動化された流通システムの場合、運送状情報が完全に自動化されたスキャンを通じて読み取られ、パッケージの宛先が、完全に自動化されたシステムによって区別されるが、流通センターにおける流通ラインのコストが不可避的に増大し、特に、特定の日毎発注量（大きな発注量）に達していないシナリオにおいて、自動流通システム全体のコストを相殺することができない。加えて、オイルドラム等の不規則形状体は、自動流通システムによって自動的に認識することができないが、自動倉庫における別の手動仕分けラインにおいて仕分けされる必要がある。
【００３３】
本出願は、物品仕分けのための方法を提供する。図１に示すように、方法は以下を含む。
【００３４】
ステップ１００。動いている物品の物品情報を認識する。
【００３５】
任意選択で、パッケージ運送状におけるバーコード情報等の、動いている物品の物品情報を認識するために、製造ラインの上部に認識デバイスを配置することができる。
【００３６】
任意選択で、認識デバイスは、製造ラインの上部に配置することができる。代替的に、認識デバイスは、パッケージ運送状が仕分け作業者に面しているシナリオに適合するように、製造ラインの側部に配置されてもよい。
【００３７】
任意選択で、動いている物品の物品情報を認識するように構成された認識デバイスは、高精細カメラ等のカメラとすることができるか、又は、赤外線コード読取りポータルフレーム、固定高速コードリーダ、又は工業用パーソナルデジタルアシスタント（ＰＤＡ）等の任意のコード読取りデバイスとすることができる。ここで、工業用ＰＤＡは、主に、工業分野で適用される。一般的に用いられるバーコードスキャナ、無線周波数識別（ＲＦＩＤ）リーダ／ライタ、販売時点管理（ＰＯＳ）マシン（販売時点管理情報管理システムとも呼ばれる）等は、全てＰＤＡと呼ぶことができる。
【００３８】
任意選択で、認識デバイスと、製造ライン上の物品との間の距離は調整可能である。このようにして、認識率は、認識デバイスと、認識されることになる物品との間の距離を更に低減することによって改善することができる。
【００３９】
任意選択で、上記方法の前に、方法は以下を含む。
製造ラインのコンベアベルト上に配置されることになるパッケージ等の物品の位置をマーキングして、パッケージ等の物品を正しい位置に配置するように仕分け作業者を促し、パッケージ等の物品が所定の範囲からランダムに外れることを阻止し、それによって、コード読取り及び識別が最初に行われた後のパッケージ等の物品の変位の計算精度を確保すること。
【００４０】
ステップ１０１。認識された物品情報に従って、物品に対応する色を決定する。ここで、色は、異なる宛先を識別するために用いられる。
【００４１】
このステップの前に、方法は、異なる色及び異なる宛先間の対応関係を設定することを更に含む。換言すれば、異なる宛先は、予め異なる色を用いて表される。
【００４２】
パッケージ運送状におけるバーコード情報等の物品情報は、パッケージフロー方向情報に対応する。換言すれば、パッケージ運送状におけるバーコード情報等の物品情報が得られる場合、宛先情報を得ることができ、異なる色及び異なる宛先間の事前に取り込まれた対応関係に従って、認識された物品情報に対応する色を決定することができる。
【００４３】
例えば、１つのサイトは、１つの細分化されたフロー方向を表し、対応するコードを有する。製造ラインの細分化されたリンクにおいて、サイトフロー方向が、製造ラインを複数の作業台に分割するユニットとして用いられる。１．８ｍの幅を有する作業台がユニットとして用いられ、１つのサイトコードは１つの色に対応する。例えば、異なる宛先サイトは、３つの色、例えば、赤、緑及び青を用いて区別することができる。
【００４４】
本出願において、異なる宛先を表すグレイサイトショートコードの代わりに、異なる色を用いて物品を識別する。実験により、物品が移動するとき、裸眼による色の認識速度は、文字及び数字により形成されるコードの裸眼による認識速度よりもはるかに高速であることが示されている。
【００４５】
ステップ１０２。決定された色を用いることによって、異なる宛先を有する物品を区別して、動いている物品を色に従って仕分けする。
【００４６】
任意選択で、パッケージ等の対応する物品上に対応する色のスポットライトビームを投影するために、製造ラインの上部又は側部に投影光源を配置することができ、かつ／又は、代替的に、製造ラインの側部に光ストリップを配置することができる。予め設置されたセンサが、パッケージ等の物品の通過を検知するとき、物品に対応する場所を有する光ストリップが、パッケージの宛先に対応する色にされる。
【００４７】
任意選択で、パッケージ等の物品の宛先フロー方向に対応するパレット又は別の容器の色は、パッケージ等の物品に投影される色と同じである。このようにして、パッケージ等の物品は、パッケージ等の物品を保持する容器に対し１対１の対応関係にあり、物品及び容器は、同じ色を用いることによって明確に区別される。
【００４８】
任意選択で、スポットライトシステムは、１５°〜３５°の範囲の角度を有するスポットライトを生成することができる。
【００４９】
任意選択で、製造ラインの上部に配設された投影光源の１つ又は複数のグループが存在することができる。好ましくは、パッケージ等の到来する物品に適合するように投影光源の２つ又は３つのグループを含めることができ、それによって、次のパッケージが投影範囲に入ったが、現在のパッケージに対する第１の光ビームの投影が完了していないことに起因してスポットライトを当てることができないという問題を回避することができる。
【００５０】
任意選択で、投影光源の各グループは、異なる色を有し、異なる宛先を識別するのに用いられる全ての光源を含むことができる。例えば、投影光源の各グループは、３つの色、例えば、赤、緑及び青を有する光源を含む。代替的に、投影光源の異なるグループは、それぞれ、異なる宛先を表す色の光源に対応する。投影光源の２つのグループが配置されていると仮定すると、投影光源の１つのグループは、２つの色、例えば赤色及び緑色の光源を含み、投影光源の他のグループは、２つの色、例えば青色及び黄色の光源を含む。
【００５１】
このようにして、製造ラインにおいて作業している仕分け作業者は、色を認識することによって、仕分け作業者が担当するパッケージをソートすることができる。加えて、色の裸眼による認識速度は、文字及び数字によって形成されるコードの裸眼による認識速度よりもはるかに高速である。従来、１つの作業台は、２人の仕分け作業者を必要とする。しかしながら、本出願における異なる色を用いることによって物品仕分けを実施する実施形態において、仕分け作業を効率的に完了するために、１人の仕分け作業者しか必要とされない。他の仕分け作業者は、他のフロー方向における仕分け作業を担当することができる。
【００５２】
任意選択で、図２に示す第１の実施形態において、投影光源は、製造ラインの上部に配置することができる。代替的に、図３に示す第２の実施形態において、投影光源は、投影ラインの側部に配置することができる。
【００５３】
実際の応用中、製造ラインの開始において、パッケージの表面上のバーコードは、高精細カメラを用いることによって認識することができ、次に、バーコードは、既存の商品フロー方向データに対し照合され、パッケージに対応する宛先フロー方向が学習される。パッケージがＮ秒で到達することができる場所の特定の座標は、ポータルフレーム上のカメラによって読み取られるパッケージの初期座標と、製造ラインのフロー速度とを用いることによって、計算を通じて決定することができる。このようにして、パッケージが、そのフロー方向を担当する作業者の作業台領域内のセンサを通過して移動するとき、投影光源は、パッケージを追跡する光を放出するようにトリガーされる。
【００５４】
本出願において提供される物品仕分けの方法において、異なる宛先を表すグレイサイトショートコードの代わりに、異なる色を用いて物品を識別し、動いている物品が色に従って仕分けされる。裸眼による色の認識速度は、文字及び数字によって形成されるコードの裸眼による認識速度よりもはるかに高速であるため、仕分けを完了する効率が大幅に改善される。加えて、本出願は、自動化及び手動の労働の組み合わせを採用し、それによってコストを大幅に低減する。本出願において、効率的で低コストの仕分けが実施されることを見てとることができる。
【００５５】
図２は、本出願による、物品仕分けを実施する第１の実施形態のシナリオの概略図である。第１の実施形態において、投影光源は、製造ラインの上部に配置される。図２に示すように、第１の実施形態において、物品が流通センターにおける流通ライン上のパッケージであり、パッケージが２つの異なる宛先に送達されると仮定される。宛先は、第１の実施形態において宛先Ａ及び宛先Ｂであると仮定され、赤いスポットライトが宛先Ａに送達されるパッケージに投影され、緑のスポットライトが宛先Ｂに送達されるパッケージに投影されると仮定される。
【００５６】
第１の実施形態において、製造ラインの上部に高精細カメラが配置され、コンベアベルト上を移動するパッケージの運送状におけるバーコード情報を認識して、パッケージの宛先フロー方向情報を得るように構成される。高精細カメラの認識を通じて、パッケージ３が宛先Ａに送達され、パッケージ４が宛先Ｂに送達されると仮定される。図２に示すように、斜四角の網掛けによって示される赤いスポットライトがパッケージ３に投影され、ドットピクセルの網掛けによって示される緑のスポットライトがパッケージ４に投影される。このようにして、製造ラインで作業している仕分け作業者は、異なる色に従って、動いているパッケージを容易に仕分けすることができる。
【００５７】
図３は、本出願による物品仕分けを実施する第２の実施形態のシナリオの概略図である。第２の実施形態において、投影光源は、製造ラインの側部に配置される。図３に示すように、高精細カメラが、３方スキャンポータルフレーム等の製造ラインの上部に配置され、コンベアベルト上を移動しているパッケージの運送状におけるバーコード情報を認識して、パッケージの宛先フロー方向情報を得るように構成される。製造ライン上に配置された光電センサ等のセンサ（又は複数のセンサ）がパッケージの通過を検知すると、光ストリップ（パッケージの搬送に伴って、パッケージに対応する場所を有する光ストリップのセグメント、例えば、パッケージの幅と同じ幅を有する光ストリップのセグメント）が、パッケージの宛先に対応する色にされる。視覚的に観測されるとき、光ストリップのセグメントは、パッケージが移動すると共に移動し、宛先に対応するピッキング作業者が担当する作業台領域に達するまで停止する。このようにして、ピッキング作業者は、光ストリップの観測される色に従ってピッキングを行うことができる。次に、仕分け作業者は更に、商品集積のための対応する色のパレットにパッケージを置くことができる。このようにして、製造ラインにおいて作業する仕分け作業者は、動いているパッケージを、異なる色に従って容易に仕分けすることができる。図３に示すように、製造ラインの側部に配置された投影光源は、赤色、青色及び緑色の光ストリップを含む。
【００５８】
図３に示す第２の実施形態において、ピッキング作業者１が領域１を担当していると仮定すると、ピッキング作業者１の領域１の範囲において、ピッキング作業者１は、宛先がフロー方向１、フロー方向２、フロー方向３及びフロー方向４であるパッケージのピッキングを担当する。フロー方向１のパッケージが、対応して赤色光ストリップをオンにすることによって追跡され、フロー方向２のパッケージが、対応して緑色光ストリップをオンにすることによって追跡され、フロー方向３のパッケージが対応して青色光ストリップをオンにすることによって追跡され、フロー方向４のパッケージが、対応して黄色光ストリップをオンにすることによって追跡されることが設定される。
【００５９】
ピッキング作業者２は、領域２を担当し、ピッキング作業者２の領域２の範囲において、ピッキング作業者２は、宛先がフロー方向５、フロー方向６、フロー方向７及びフロー方向８であるパッケージのピッキングを担当する。フロー方向５のパッケージが、対応して赤色光ストリップをオンにすることによって追跡され、フロー方向６のパッケージが、対応して緑色光ストリップをオンにすることによって追跡され、フロー方向７のパッケージが対応して青色光ストリップをオンにすることによって追跡され、フロー方向８のパッケージが、対応して黄色光ストリップをオンにすることによって追跡されることが設定される。
【００６０】
ピッキング作業者３は、領域３を担当し、ピッキング作業者３の領域３の範囲において、ピッキング作業者３は、宛先がフロー方向９、フロー方向１０、フロー方向１１及びフロー方向１２であるパッケージのピッキングを担当する。フロー方向９のパッケージが、対応して赤色光ストリップをオンにすることによって追跡され、フロー方向１０のパッケージが、対応して緑色光ストリップをオンにすることによって追跡され、フロー方向１１のパッケージが対応して青色光ストリップをオンにすることによって追跡され、フロー方向１２のパッケージが、対応して黄色光ストリップをオンにすることによって追跡されることが設定される。
【００６１】
ピッキング作業者４は、領域４を担当し、ピッキング作業者４の領域４の範囲において、ピッキング作業者４は、宛先がフロー方向１３、フロー方向１４、フロー方向１５等であるパッケージのピッキングを担当する。フロー方向１３のパッケージが、対応して赤色光ストリップをオンにすることによって追跡され、フロー方向１４のパッケージが、対応して緑色光ストリップをオンにすることによって追跡され、フロー方向１５のパッケージが対応して青色光ストリップをオンにすることによって追跡されること等が設定される。ここでは再び詳細を１つずつ説明しない。
【００６２】
異なるピッキング作業者がピッキングを担当するパッケージのフロー方向に対応する光ストリップの色は同じであってもよく、異なっていてもよいことに留意されたい。
【００６３】
図３に示すように、パッケージ１は、３方スキャンポータルフレームを通過し、３方スキャンポータルフレーム上に配置される高精細カメラが、スキャンを通じてパッケージ１の宛先情報を得ている。この実施形態において、パッケージ２の宛先アドレスは、フロー方向３に対応する。したがって、領域１において、青色光ストリップのセグメントが、パッケージの幅に対応する光ストリップ上の位置において、パッケージ２の移動と共にオンにされる。同様に、この実施形態において、パッケージ３の宛先アドレスは、フロー方向１に対応する。したがって、領域１において、赤色光ストリップのセグメントが、パッケージの幅に対応する光ストリップ上の位置において、パッケージ３の移動と共にオンにされる。この実施形態において、領域２において、パッケージ４に対応する赤色光ストリップのセグメントは、パッケージ４と共に移動する。しかしながら、この状況において、パッケージ４に対応する光ストリップがオンになっているのが領域２であるため、パッケージ４の宛先に対応するフロー方向は、ピッキング作業者２が担当するフロー方向５である。
【００６４】
第２の実施形態に示す実施態様において、パッケージ３が領域１において運ばれるとき、対応する色の光ストリップがオンにされるが、何らかの理由で、パッケージがピッキング作業者１によってピックされることに失敗し、すなわち、ピッキングミスが生じると仮定することに留意されたい。したがって、パッケージ３が通過する続く領域において、対応する光ストリップはオンにされず、パッケージ３の運搬が製造ライン上で完了した後、パッケージが再び製造ライン上に置かれ、再び認識及びピッキングされる。
【００６５】
任意選択で、ピッキングミスの問題をより良好に回避するために、同じフロー方向を担当する複数のピッキング作業者を配置してもよい。
【００６６】
本出願において、図３に示すような油ドラム等の不規則形状物の場合、その不規則形状物の宛先フロー方向情報を得るために、ハンドヘルド無線ＲＦを用いることによって再スキャンを行うことができることに留意されたい。このようにして、動いている不規則形状のパッケージも、異なる色に従って図２又は図３に示す投影光源を用いることによって仕分けすることができる。
【００６７】
図４は、本出願による物品仕分けのためのシステムのアーキテクチャの概略図である。図４に示すように、システムは、認識ユニット、処理及び制御ユニット、及び実行ユニットを備える。
【００６８】
認識ユニットは、動いている物品の物品情報を認識するように構成される。
【００６９】
処理及び制御ユニットは、認識された物品情報に従って物品に対応する色を決定し、ここで色は異なる宛先を識別するために用いられ、制御信号を実行ユニットに出力して、決定された色を用いることによって宛先が異なる物品を区別するように実行ユニットを制御するように構成される。
【００７０】
実行ユニットは、異なる色を用いることによって、処理及び制御ユニットの制御信号に従って、宛先が異なる物品を区別するように構成される。
【００７１】
任意選択で、認識ユニットは、高精細カメラ等のカメラを含むことができ、赤外線コード読取りポータルフレーム、固定高速コードリーダ、又はＰＤＡ等の任意のコード読取りデバイスを含むことができる。
【００７２】
任意選択で、認識ユニットは、製造ラインの上部に配置するか、又は製造ラインの側部に配置することができる。
【００７３】
任意選択で、認識ユニットと、製造ライン上の物品との間の距離は調整可能である。
【００７４】
任意選択で、処理及び制御ユニットは、異なる色及び異なる宛先間の対応関係を設定するように更に構成される。
【００７５】
任意選択で、処理及び制御ユニットは、単一チップマイクロコンピュータ等の制御チップを用いることによって実施することができる。本明細書に限定されない多くの特定の実施態様が存在する。
【００７６】
任意選択で、実行ユニットは、投影光源の１つ又は複数のグループを含むことができる。好ましくは、パッケージ等の到来する物品に適合するように投影光源の２つ又は３つのグループを含めることができ、それによって、次のパッケージが投影範囲に入ったが、現在のパッケージに対する第１の光ビームの投影が完了していないことに起因してスポットライトを当てることができないという問題を回避することができる。
【００７７】
任意選択で、投影光源のグループは、異なる色の２つ以上の光源を含む。
【００７８】
任意選択で、投影光源は、製造ラインの上部に配置するか、又は製造ラインの側部に配置することができる。
【００７９】
任意選択で、本出願における物品仕分けのためのシステムは、センサを更に含み、ここで、
実行ユニットは、製造ラインの側部に配置された光ストリップを含み、
予め設置されたセンサが物品の通過を検知するとき、処理及び制御ユニットは、光ストリップを物品の宛先情報に対応する色にするように更に構成される。
【００８０】
本出願において提供される物品仕分けのためのシステムにおいて、異なる宛先を表すグレイサイトショートコードの代わりに、物品を識別するために異なる色が用いられ、動いている物品は色に従って仕分けされる。色の裸眼による認識速度は、文字及び数字によって形成されるコードの裸眼による認識速度よりもはるかに高速であるため、仕分け完了の効率が大幅に改善される。加えて、本出願は、自動化と手作業との組み合わせを採用し、それによってコストを大幅に低減させる。本出願において、効率的で低コストの仕分けが実施されることを見てとることができる。
【００８１】
本出願の実施態様が上記のように開示されたが、記載の内容は、本出願の理解を容易にするために用いられる実施態様にすぎず、本出願を制限することを意図したものではない。本出願の当業者であれば、本出願の趣旨及び範囲から逸脱することなく、実施態様の形態及び詳細における任意の修正及び変更を行うことができる。しかしながら、本出願の保護範囲は、依然として、添付の特許請求の範囲によって定義される範囲の対象とされるべきである。
【図１】
2021524427.tif 000003
【図２】
2021524427.tif 000004
【図３】
2021524427.tif 000005
【図４】
2021524427.tif 000006
【国際調査報告】
2021524427.tif 000007
2021524427.tif 000008
2021524427.tif 000009
2021524427.tif 000010